(57)【要約】【課題】エレメントの長寿命化が可能となるエアクリーナを提供すること。【解決手段】ハウジング１１にアウトレット１４とインレット１５が設けられている。ハウジング１１の内部の底壁１２１上には、アウトレット１４を跨ぐようにエレメント１６が固定されている。ハウジング１１の下部ケース１２は放電加工によりプラスの電荷１７を帯びている。外気がインレット１５からハウジング１１内に導入され、エレメント１６によって濾過されて、アウトレット１４から導出され、マイナスに帯電されたダストの一部は帯電部に吸着される。従って、エレメント１６側に到るダストの量が少なくなり、エレメント１６の寿命が長くなる。【選択図】図１
2015137617.tif 000002
【特許請求の範囲】
【請求項１】
エア導入口とエア導出口とを有するハウジング内において前記両口間に位置するようにエレメントを設けたエアクリーナであって、
前記ハウジングを放電処理によってダストと逆の極性に帯電させたエアクリーナ。
【請求項２】
前記エレメントを前記ハウジングの内側面に接着した請求項１に記載のエアクリーナ。
【請求項３】
前記ハウジングをエア導出口側の第１パートとエア導入口側の第２パートとによって構成するとともに、前記エレメントを前記第１パートに接着するとともに、第１パートを帯電させた請求項２に記載のエアクリーナ。
【請求項４】
前記ハウジングのエア導出口側の部分に電装品を内装するとともに、アウトレットを有する電装品ボックスを設け、エア導出口からのエアが電装品ボックス内を通って同ボックスのアウトレットから導出されるようにした請求項１〜３のうちのいずれか一項に記載のエアクリーナ。
【請求項５】
キャニスタへのエア導入通路に接続された請求項１〜４のうちのいずれか一項に記載のエアクリーナ。
【発明の詳細な説明】
【技術分野】
【０００１】
本発明は、例えば、エンジンのキャニスタに大気を導入する経路に用いられ、エアを濾過するためのエアクリーナに関する。
【背景技術】
【０００２】
この種のエアクリーナが特許文献１に開示されている。この特許文献１のエアクリーナは、活性炭充填層の大気開放ポートに電源によって電荷が付与される静電板が設けられ、この静電板によりダストが吸着されるとしている。
【先行技術文献】
【特許文献】
【０００３】
【特許文献１】実開平３−１２７０７４号公報
【発明の概要】
【発明が解決しようとする課題】
【０００４】
特許文献１においては、前記静電板や、その静電板に対して通電するための電気回路が必要である。このため、特許文献１のエアクリーナは構成が複雑になることを回避できない。
【０００５】
本発明の目的は、構成が簡単で、かつエアを濾過するためのエアクリーナエレメントの長寿命化を図ることができるエアクリーナを提供することにある。
【課題を解決するための手段】
【０００６】
上記の目的を達成するために、本発明においては、エア導入口とエア導出口とを有するハウジング内において前記両口間に位置するようにエレメントを設けたエアクリーナであって、前記ハウジングを放電処理によってダストと逆の極性に帯電させたことを特徴とする。
【０００７】
以上の構成によれば、ハウジングをダストと逆の極性に帯電させているため、ハウジング内に導入されたダストの一部をハウジングの内壁面に吸着して、エレメントに到るダストの量を減らすことができる。このため、エレメントの負担を軽減してエレメントの寿命を延ばすことができる。また、ハウジングを帯電させているだけであるため、部品点数が増えることはなく、構成は簡単である。
【発明の効果】
【０００８】
本発明によれば、エレメントの寿命を延長できるとともに、構成の複雑化を避けることができる。
【図面の簡単な説明】
【０００９】
【図１】実施形態のエアクリーナを示す断面図。
【図２】別の実施形態のエアクリーナを示す断面図。
【発明を実施するための形態】
【００１０】
以下、実施形態について説明する。
（第１実施形態）
図１に示す本実施形態のエアクリーナは、燃料タンク（図示しない）からの蒸発燃料を保持するキャニスタ（図示しない）へのエア導入通路に接続される。そして、エンジンの吸気系（図示しない）内の負圧によってキャニスタ内のガスが前記吸気系に吸引される。このとき、本実施形態のエアクリーナを介してキャニスタ内にエアが導入されることにより、キャニスタに保持されていた燃料成分が脱離し、この燃料成分とエアとが混合されてパージガスとなり、このパージガスが吸気系に導入されて、燃焼される。以下に、エアクリーナについて説明する。
【００１１】
図１に示すように、エアクリーナのハウジング１１は、第１パートとしての下部ケース１２と、その下部ケース１２に固着された第２パートとしての上部ケース１３とよりなる。下部ケース１２と上部ケース１３との固着は、振動溶着、接着剤による接着、両ケース１２，１３の接合部に対するレーザ照射、すなわちレーザ溶着等が採用される。下部ケース１２の底壁１２１にはエア導出口としてのアウトレット１４が、上部ケース１３の上部にはエア導入口としてのインレット１５が設けられている。インレット１５はエア導入通路の上流側配管１０１に、アウトレットはエア導入通路の下流側配管１０２に接続される。下部ケース１２の内部において底壁１２１上には、アウトレット１４を跨ぐようにエアクリーナエレメント（以下、単にエレメントという）１６が接着によって固定されている。
【００１２】
前記下部ケース１２は通常マイナスを帯びている大気中のダストと逆の極性の電荷１７を帯びるように、上部ケース１３との固着合体前にプラズマ放電により放電加工が施されている。そのため、下部ケース１２の表面は、プラスの電荷１７を帯びている。
【００１３】
本実施形態のエアクリーナは以下のように作用する。
本実施形態のエアクリーナにおいては、外気がインレット１５からハウジング１１内に導入され、エレメント１６によって濾過されて、アウトレット１４から導出されて、キャニスタに供給される。
【００１４】
このとき、大気中のダストは通常マイナスに帯電されているため、ハウジング１１内に導入されたダストの一部は下部ケース１２のプラスの帯電部に静電吸着される。このため、エレメント１６側に到るダストの量が少なくなり、エレメント１６の寿命が長くなる。
【００１５】
従って、本実施形態では、以下の効果がある。
（１）下部ケース１２を大気中のダストと逆の極性に帯電させているため、ハウジング１１内に導入されたダストの一部を下部ケース１２の内壁面に吸着して、エレメント１６に到るダストの量を減らすことができる。このため、エレメント１６の負担を軽減してエレメント１６の寿命を延ばすことができる。
【００１６】
（２）下部ケース１２と上部ケース１３との溶着や接着、下部ケース１２とエレメント１６との接着においても、下部ケース１２があらかじめ帯電されている。従って、下部ケース１２の表面が活性化された状態であるため、前記溶着や接着が強固になる。
【００１７】
（３）下部ケース１２を帯電させているだけであるため、エアクリーナの製造工程が複雑になることを避けて、簡単な工程で前記のエレメント１６の長寿命化を図ることができる。
【００１８】
（４）下部ケース１２を帯電させているだけであるため、部品点数が増えることはなく、構成は簡単である。
（第２実施形態）
次に、第２実施形態を主として第１実施形態と異なる部分について説明する。
【００１９】
図２に示すように、第２実施形態においては、前記実施形態と同じ構成のエアクリーナのハウジング１１の下部に電装品ボックス２１が溶着や接着によって固定されている。電装品ボックス２１の内部の基板２２上には電装品２３がマウントされている。電装品２３の頭部にはダストカバー２４が被せられている。
【００２０】
ハウジング１１の下部ケース１２の底壁１２１が電装品ボックス２１の上壁の開口２５から電装品ボックス２１内に臨むとともに、アウトレット１４が電装品ボックス２１内に開口している。
【００２１】
電装品ボックス２１の底壁にはアウトレット２６が設けられている。このアウトレット２６に前記エア導入通路の下流側配管１０２が接続される。
そして、エアクリーナのハウジング１１のアウトレット１４から送出されてエアが電装品ボックス２１内を通り、アウトレット２６から電装品ボックス２１外へキャニスタに向けて導出される。従って、電装品ボックス２１はエアの通路を兼ねる。
【００２２】
この場合、ハウジング１１のアウトレット１４からの濾過済みエアにわずかに残留しているダストが電装品２３上に直接集積しないように、電装品２３には前記ダストカバー２４が設けられている。しかし、この実施形態においては、ハウジング１１のアウトレット１４からのエアにわずかに残留しているダストは、帯電している下部ケース１２に吸着される。
【００２３】
従って、電装品２３側に到るダストの量が少なくなる。
このため、本実施形態では以下の効果がある。
（５）電装品２３上に集積されるダストの量を少なくでき、電装品２３のトラブルを少なくして長寿命化が可能になる。
【００２４】
（６）電装品２３関係の部品点数が増えることがないため、構成を簡素化できる。
（７）下部ケース１２が帯電されて、表面が活性化されているため、下部ケース１２と電装品ボックス２１との接着や溶着が強固な状態となる。
【００２５】
（変更例）
前記各実施形態は、以下のように変更してもよい。
・上部ケース１３にも帯電処理を施すこと。このようにすれば、エレメント１６の寿命をさらに延ばすことができる。
【００２６】
・第２実施形態の電装品ボックス２１にも帯電処理を施すこと。このようにすれば電装品２３上に集積するダストの量をさらに減らすことができる。
・下部ケース１２の内側のみに帯電処理を施すこと。
【符号の説明】
【００２７】
１１…ハウジング、１２…下部ケース、１３…上部ケース、１４…導出口としてのアウトレット、１５…導入口としてのインレット、１６…エレメント、１７…電荷、２１…電装品ボックス、２３…電装品、２６…アウトレット。
【図１】
2015137617.tif 000003
【図２】
2015137617.tif 000004